(57)【要約】      （修正有）【課題】金型コアモジュールの使用寿命を延長することができ、摺動子の歩留りを向上でき、摺動子の作製コストも削減できる金型コアモジュール及び摺動子を提供する。【解決手段】第１の金型コア構造１及び第２の金型コア構造２とを備える。第１の金型コア構造１は、第１の基体１０、二つの第１の側部構造体１１及び第１の中間構造体１２を有する。第２の金型コア構造２は、第２の基体２０、二つの第２の側部構造体２１及び第２の中間構造体２２とを有する。第１の中間構造体１２は、互いに対応して設けられる二つの第１の延伸部１２０を有する。各第１の延伸部１２０は異なる厚さを有する。第２の中間構造体２２は、互いに対応して設けられる二つの第２の延伸部２２０を有する。各第２の延伸部２２０は異なる厚さを有する。台座部３２の一部の外形は、第１の金型コア構造１の第１の中間構造体１２の二つの第１の延伸部１２０及び第２の金型コア構造２の第２の中間構造体２２の二つの第２の延伸部２２０により相互に係合して形成される。【選択図】図８
0003209780.tif 000002
【実用新案登録請求の範囲】
【請求項１】
ベース部と、前記ベース部の二つの反対側端から上方にそれぞれ延びており、相互に対応すると共に前記ベース部の先端にそれぞれ接続される二つの側止め部と、前記ベース部の後端に接続されるように前記ベース部に設けられる台座部であって、前記ベース部の前記後端に接続されるように前記ベース部に設けられるメイン本体と、前記メイン本体の二つの反対側端にそれぞれ設けられる二つのテープ状のリブと、二つの前記テープ状のリブにそれぞれ接続されると共に、二つの前記テープ状のリブをそれぞれ部分的に取り囲む二つの凹陥空間とを備える台座部と、を有する摺動子を含むスライダー組合せ構造の前記摺動子の一部の外形を成形するために用いられる金型コアモジュールであって、
第１の基体と、前記第１の基体から延在してくると共に互いに対応する二つの第１の側部構造体と、前記第１の基体から延在してくると共に二つの前記第１の側部構造体の間に位置する第１の中間構造体とを有する第１の金型コア構造であって、前記第１の中間構造体が互いに対応して設けられる二つの第１の延伸部を有し、各前記第１の延伸部が第１の基礎部と前記第１の基礎部から内側に突出する二つの第１の増厚部とを有する、第１の金型コア構造と、
第２の基体と、前記第２の基体から延在してくると共に互いに対応する二つの第２の側部構造体と、前記第２の基体から延在してくると共に二つの前記第２の側部構造体の間に位置する第２の中間構造体とを有する第２の金型コア構造であって、前記第２の中間構造体が互いに対応して設けられる二つの第２の延伸部を有し、各前記第２の延伸部が第２の基礎部と前記第２の基礎部から内側に突出する二つの第２の増厚部とを有する、第２の金型コア構造と、を備え、
前記第１の中間構造体の二つの前記第１の延伸部が前記第２の中間構造体の二つの前記第２の延伸部にそれぞれ接続され、
前記台座部の一部の外形が前記第１の金型コア構造の前記第１の中間構造体の二つの前記第１の延伸部及び前記第２の金型コア構造の前記第２の中間構造体の二つの前記第２の延伸部により相互に係合して形成され、
一方の前記第１の延伸部の二つの前記第１の増厚部は他方の前記第１の延伸部の二つの前記第１の増厚部とそれぞれ対向し、
前記第１の基礎部が第１の基礎厚さを有し、前記第１の増厚部が第１の増厚厚さを有し、前記第１の増厚部の前記第１の増厚厚さは前記第１の基礎部の前記第１の基礎厚さよりも大きく、
一方の前記第２の延伸部の二つの前記第２の増厚部は他方の前記第２の延伸部の二つの前記第２の増厚部とそれぞれ対向し、
前記第２の基礎部が第２の基礎厚さを有し、前記第２の増厚部が第２の増厚厚さを有し、前記第２の増厚部の前記第２の増厚厚さは前記第２の基礎部の前記第２の基礎厚さよりも大きいことを特徴とする、金型コアモジュール。
【請求項２】
前記第１の中間構造体は、二つの前記第１の延伸部の間に形成された第１のメイン収容空間を有し、
各前記第１の延伸部は、二つの対応する前記第１の増厚部の間に形成された第１のサブ収容空間を有し、
前記第１のメイン収容空間が二つの前記第１の延伸部の二つの前記第１のサブ収容空間の間に連通され、
前記第２の中間構造体は、二つの前記第２の延伸部の間に形成された第２のメイン収容空間を有し、
前記第２の延伸部は、二つの対応する前記第２の増厚部の間に形成された第２のサブ収容空間を有し、
前記第２のメイン収容空間が前記第１のメイン収容空間に連通されると共に、二つの前記第２の延伸部の二つの前記第２のサブ収容空間の間に連通され、二つの前記第２の延伸部の二つの前記第２のサブ収容空間が二つの前記第１の延伸部の二つの前記第１のサブ収容空間にそれぞれ連通されることを特徴とする、請求項１に記載の金型コアモジュール。
【請求項３】
前記台座部の前記メイン本体は、前記第１のメイン収容空間及び前記第２のメイン収容空間に対応し、
前記台座部の前記メイン本体の外形は、前記第１のメイン収容空間及び前記第２のメイン収容空間により相互に係合して形成されたことを特徴とする、請求項２に記載の金型コアモジュール。
【請求項４】
各前記テープ状のリブは、対応する前記第１の延伸部の前記第１のサブ収容空間及び対応する前記第２の延伸部の前記第２のサブ収容空間に対応し、
各前記テープ状のリブの外形は、対応する前記第１の延伸部の前記第１のサブ収容空間及び対応する前記第２の延伸部の前記第２のサブ収容空間により相互に係合して形成されたことを特徴とする、請求項２に記載の金型コアモジュール。
【請求項５】
各前記凹陥空間は、対応する前記第１の延伸部の二つの前記第１の増厚部及び対応する前記第２の延伸部の二つの前記第２の増厚部に対応し、
各前記凹陥空間の形状は、対応する前記第１の延伸部の二つの前記第１の増厚部及び対応する前記第２の延伸部の二つの前記第２の増厚部により相互に係合して形成されたことを特徴とする、請求項２に記載の金型コアモジュール。
【請求項６】
ベース部と、前記ベース部の二つの反対側端から上方にそれぞれ延びており、相互に対応すると共に前記ベース部の先端にそれぞれ接続される二つの側止め部と、前記ベース部の後端に接続されるように前記ベース部に設けられる台座部とを有するスライダー組合せ構造の前記摺動子の一部の外形を成形するために用いられる金型コアモジュールであって、
第１の基体と、前記第１の基体から延在してくると共に互いに対応する二つの第１の側部構造体と、前記第１の基体から延在してくると共に二つの前記第１の側部構造体の間に位置する第１の中間構造体とを有する第１の金型コア構造であって、前記第１の中間構造体が互いに対応して設けられる二つの第１の延伸部を有し、各前記第１の延伸部が異なる厚さを有する、第１の金型コア構造と、
第２の基体と、前記第２の基体から延在してくると共に互いに対応する二つの第２の側部構造体と、前記第２の基体から延在してくると共に二つの前記第２の側部構造体の間に位置する第２の中間構造体とを有する第２の金型コア構造であって、前記第２の中間構造体が互いに対応して設けられる二つの第２の延伸部を有し、各前記第２の延伸部が異なる厚さを有する、第２の金型コア構造と、を備え、
前記第１の中間構造体の二つの前記第１の延伸部が前記第２の中間構造体の二つの前記第２の延伸部にそれぞれ接続され、
前記台座部の一部の外形は、前記第１の金型コア構造の前記第１の中間構造体の二つの前記第１の延伸部及び前記第２の金型コア構造の前記第２の中間構造体の二つの前記第２の延伸部により相互に係合して形成されたことを特徴とする、金型コアモジュール。
【請求項７】
各前記第１の延伸部は、第１の基礎部と、前記第１の基礎部から内側に突出する少なくとも一つの第１の増厚部とを有し、
各前記第２の延伸部は、第２の基礎部と、前記第２の基礎部から内側に突出する少なくとも一つの第２の増厚部とを有し、
一方の前記第１の延伸部の少なくとも一つの前記第１の増厚部は他方の前記第１の延伸部の少なくとも一つの前記第１の増厚部と対向し、
前記第１の基礎部が第１の基礎厚さを有し、前記第１の増厚部が第１の増厚厚さを有し、前記第１の増厚部の前記第１の増厚厚さは前記第１の基礎部の前記第１の基礎厚さよりも大きく、
一方の前記第２の延伸部の少なくとも一つの前記第２の増厚部は他方の前記第２の延伸部の少なくとも一つの前記第２の増厚部と対向し、
前記第２の基礎部が第２の基礎厚さを有し、前記第２の増厚部が第２の増厚厚さを有し、前記第２の増厚部の前記第２の増厚厚さは前記第２の基礎部の前記第２の基礎厚さよりも大きいことを特徴とする、請求項６に記載の金型コアモジュール。
【請求項８】
各前記第１の延伸部は、第１の基礎部と、二つの前記第１の基礎部から内側に突出する第１の増厚部とを有し、
各前記第２の延伸部は、第２の基礎部と、二つの前記第２の基礎部から内側に突出する第２の増厚部とを有し、
一方の前記第１の延伸部の二つの前記第１の増厚部は他方の前記第１の延伸部の二つの前記第１の増厚部とそれぞれ対向し、
前記第１の基礎部が第１の基礎厚さを有し、前記第１の増厚部が第１の増厚厚さを有し、前記第１の増厚部の前記第１の増厚厚さは前記第１の基礎部の前記第１の基礎厚さよりも大きく、
一方の前記第２の延伸部の二つの前記第２の増厚部は他方の前記第２の延伸部の二つの前記第２の増厚部とそれぞれ対向し、
前記第２の基礎部が第２の基礎厚さを有し、前記第２の増厚部が第２の増厚厚さを有し、前記第２の増厚部の前記第２の増厚厚さは前記第２の基礎部の前記第２の基礎厚さよりも大きいことを特徴とする、請求項６に記載の金型コアモジュール。
【請求項９】
先端及び後端を有するベース部と、
前記ベース部の二つの反対側端から上方にそれぞれ延びている二つの側止め部であって、相互に対応すると共に前記ベース部の前記先端にそれぞれ接続される二つの側止め部と、
前記ベース部の前記後端に接続されるように前記ベース部に設けられ、一部の外形が請求項６に記載の金型コアモジュールの前記第１の中間構造体及び前記第２の中間構造体の両者により相互に係合して形成された台座部と、を備え、
前記台座部は、前記ベース部の前記後端に接続されるように前記ベース部に設けられるメイン本体と、前記メイン本体の二つの反対側端にそれぞれ設けられる二つのテープ状のリブと、二つの前記テープ状のリブにそれぞれ接続される二つの凹陥空間とを備えることを特徴とする、摺動子。
【請求項１０】
前記ベース部の内面に微凸領域が突出されており、
前記微凸領域は、前記台座部の前記メイン本体に接続されると共に、前記台座部の前記メイン本体を部分的に取り囲み、
前記台座部の二つの前記凹陥空間及び前記ベース部の前記微凸領域はいずれもＵ字型であることを特徴とする、請求項９に記載の摺動子。
【考案の詳細な説明】
【技術分野】
【０００１】
本考案は金型コアモジュール及び摺動子に関し、特に摺動子の一部の外形を成形するための金型コアモジュール、及びスライダー組合せ構造に用いられる摺動子に関する。
【背景技術】
【０００２】
通常の服装の基本噛合エレメントはボタンやファスナー構造を用いるに過ぎない。ボタンに比べ、ファスナー構造を用いることはより良い使用性及び堅固な構造特性を有する。通常のファスナー構造は、スライダーとファスナーテープとを有する。スライダーは主としてファスナーテーに係合されファスナー構造による往復引張りの連結エレメントとされることで、ファスナー構造を服飾及びアクセサリーに用いることがさらに普及しつつある。しかし、従来技術が提供するスライダーの摺動子の一部の外形を形成するための金型コアモジュールの構造に設計の不具合があり、金型コアモジュールの使用寿命が短縮され、作製された摺動子の不良率が向上されることにつながる。
【考案の概要】
【０００３】
（考案が解決しようとする課題）
本考案の目的は、従来技術のデメリットを改善できる金型コアモジュール及び摺動子を提供することにある。
【０００４】
（課題を解決するための手段）
上記の技術問題を解決するために、本考案に用いられる一つの技術方案は金型コアモジュールを提供する。金型コアモジュールは、スライダー組合せ構造の摺動子の一部の外形を成形するために用いられる。スライダー組合せ構造の摺動子は、ベース部と、ベース部の二つの反対側端から上方にそれぞれ延びており、相互に対応すると共にベース部の先端にそれぞれ接続される二つの側止め部と、ベース部の後端に接続されるようにベース部に設けられる台座部とを有する。金型コアモジュールは第１の金型コア構造及び第２の金型コア構造とを備える。第１の金型コア構造は、第１の基体と、第１の基体から延在してくると共に互いに対応する二つの第１の側部構造体と、第１の基体から延在してくると共に二つの第１の側部構造体の間に位置する第１の中間構造体とを有する。第１の中間構造体は、互いに対応して設けられる二つの第１の延伸部を有する。各第１の延伸部は異なる厚さを有する。第２の金型コア構造は、第２の基体と、第２の基体から延在してくると共に互いに対応する二つの第２の側部構造体と、第２の基体から延在してくると共に二つの第２の側部構造体の間に位置する第２の中間構造体とを有する。第２の中間構造体は、互いに対応して設けられる二つの第２の延伸部を有する。各第２の延伸部は異なる厚さを有する。第１の中間構造体の二つの第１の延伸部が第２の中間構造体の二つの第２の延伸部にそれぞれ接続される。台座部の一部の外形は、第１の金型コア構造の第１の中間構造体の二つの第１の延伸部及び第２の金型コア構造の第２の中間構造体の二つの第２の延伸部により相互に係合して形成される。
（発明の態様）
〔１〕  ベース部と、前記ベース部の二つの反対側端から上方にそれぞれ延びており、相互に対応すると共に前記ベース部の先端にそれぞれ接続される二つの側止め部と、前記ベース部の後端に接続されるように前記ベース部に設けられる台座部であって、前記ベース部の前記後端に接続されるように前記ベース部に設けられるメイン本体と、前記メイン本体の二つの反対側端にそれぞれ設けられる二つのテープ状のリブと、二つの前記テープ状のリブにそれぞれ接続されると共に、二つの前記テープ状のリブをそれぞれ部分的に取り囲む二つの凹陥空間とを備える台座部と、を有する摺動子を含むスライダー組合せ構造の前記摺動子の一部の外形を成形するために用いられる金型コアモジュールであって、
第１の基体と、前記第１の基体から延在してくると共に互いに対応する二つの第１の側部構造体と、前記第１の基体から延在してくると共に二つの前記第１の側部構造体の間に位置する第１の中間構造体とを有する第１の金型コア構造であって、前記第１の中間構造体が互いに対応して設けられる二つの第１の延伸部を有し、各前記第１の延伸部が第１の基礎部と前記第１の基礎部から内側に突出する二つの第１の増厚部とを有する、第１の金型コア構造と、
第２の基体と、前記第２の基体から延在してくると共に互いに対応する二つの第２の側部構造体と、前記第２の基体から延在してくると共に二つの前記第２の側部構造体の間に位置する第２の中間構造体とを有する第２の金型コア構造であって、前記第２の中間構造体が互いに対応して設けられる二つの第２の延伸部を有し、各前記第２の延伸部が第２の基礎部と前記第２の基礎部から内側に突出する二つの第２の増厚部とを有する、第２の金型コア構造と、を備え、
前記第１の中間構造体の二つの前記第１の延伸部が前記第２の中間構造体の二つの前記第２の延伸部にそれぞれ接続され、
前記台座部の一部の外形が前記第１の金型コア構造の前記第１の中間構造体の二つの前記第１の延伸部及び前記第２の金型コア構造の前記第２の中間構造体の二つの前記第２の延伸部により相互に係合して形成され、
一方の前記第１の延伸部の二つの前記第１の増厚部は他方の前記第１の延伸部の二つの前記第１の増厚部とそれぞれ対向し、
前記第１の基礎部が第１の基礎厚さを有し、前記第１の増厚部が第１の増厚厚さを有し、前記第１の増厚部の前記第１の増厚厚さは前記第１の基礎部の前記第１の基礎厚さよりも大きく、
一方の前記第２の延伸部の二つの前記第２の増厚部は他方の前記第２の延伸部の二つの前記第２の増厚部とそれぞれ対向し、
前記第２の基礎部が第２の基礎厚さを有し、前記第２の増厚部が第２の増厚厚さを有し、前記第２の増厚部の前記第２の増厚厚さは前記第２の基礎部の前記第２の基礎厚さよりも大きいことを特徴とする、金型コアモジュール。
〔２〕  前記第１の中間構造体は、二つの前記第１の延伸部の間に形成された第１のメイン収容空間を有し、
各前記第１の延伸部は、二つの対応する前記第１の増厚部の間に形成された第１のサブ収容空間を有し、
前記第１のメイン収容空間が二つの前記第１の延伸部の二つの前記第１のサブ収容空間の間に連通され、
前記第２の中間構造体は、二つの前記第２の延伸部の間に形成された第２のメイン収容空間を有し、
前記第２の延伸部は、二つの対応する前記第２の増厚部の間に形成された第２のサブ収容空間を有し、
前記第２のメイン収容空間が前記第１のメイン収容空間に連通されると共に、二つの前記第２の延伸部の二つの前記第２のサブ収容空間の間に連通され、二つの前記第２の延伸部の二つの前記第２のサブ収容空間が二つの前記第１の延伸部の二つの前記第１のサブ収容空間にそれぞれ連通されることを特徴とする、上記〔１〕に記載の金型コアモジュール。
〔３〕  前記台座部の前記メイン本体は、前記第１のメイン収容空間及び前記第２のメイン収容空間に対応し、
前記台座部の前記メイン本体の外形は、前記第１のメイン収容空間及び前記第２のメイン収容空間により相互に係合して形成されたことを特徴とする、上記〔２〕に記載の金型コアモジュール。
〔４〕  各前記テープ状のリブは、対応する前記第１の延伸部の前記第１のサブ収容空間及び対応する前記第２の延伸部の前記第２のサブ収容空間に対応し、
各前記テープ状のリブの外形は、対応する前記第１の延伸部の前記第１のサブ収容空間及び対応する前記第２の延伸部の前記第２のサブ収容空間により相互に係合して形成されたことを特徴とする、上記〔２〕に記載の金型コアモジュール。
〔５〕  各前記凹陥空間は、対応する前記第１の延伸部の二つの前記第１の増厚部及び対応する前記第２の延伸部の二つの前記第２の増厚部に対応し、
各前記凹陥空間の形状は、対応する前記第１の延伸部の二つの前記第１の増厚部及び対応する前記第２の延伸部の二つの前記第２の増厚部により相互に係合して形成されたことを特徴とする、上記〔２〕に記載の金型コアモジュール。
〔６〕  ベース部と、前記ベース部の二つの反対側端から上方にそれぞれ延びており、相互に対応すると共に前記ベース部の先端にそれぞれ接続される二つの側止め部と、前記ベース部の後端に接続されるように前記ベース部に設けられる台座部とを有するスライダー組合せ構造の前記摺動子の一部の外形を成形するために用いられる金型コアモジュールであって、
第１の基体と、前記第１の基体から延在してくると共に互いに対応する二つの第１の側部構造体と、前記第１の基体から延在してくると共に二つの前記第１の側部構造体の間に位置する第１の中間構造体とを有する第１の金型コア構造であって、前記第１の中間構造体が互いに対応して設けられる二つの第１の延伸部を有し、各前記第１の延伸部が異なる厚さを有する、第１の金型コア構造と、
第２の基体と、前記第２の基体から延在してくると共に互いに対応する二つの第２の側部構造体と、前記第２の基体から延在してくると共に二つの前記第２の側部構造体の間に位置する第２の中間構造体とを有する第２の金型コア構造であって、前記第２の中間構造体が互いに対応して設けられる二つの第２の延伸部を有し、各前記第２の延伸部が異なる厚さを有する、第２の金型コア構造と、を備え、
前記第１の中間構造体の二つの前記第１の延伸部が前記第２の中間構造体の二つの前記第２の延伸部にそれぞれ接続され、
前記台座部の一部の外形は、前記第１の金型コア構造の前記第１の中間構造体の二つの前記第１の延伸部及び前記第２の金型コア構造の前記第２の中間構造体の二つの前記第２の延伸部により相互に係合して形成されたことを特徴とする、金型コアモジュール。
〔７〕  各前記第１の延伸部は、第１の基礎部と、前記第１の基礎部から内側に突出する少なくとも一つの第１の増厚部とを有し、
各前記第２の延伸部は、第２の基礎部と、前記第２の基礎部から内側に突出する少なくとも一つの第２の増厚部とを有し、
一方の前記第１の延伸部の少なくとも一つの前記第１の増厚部は他方の前記第１の延伸部の少なくとも一つの前記第１の増厚部と対向し、
前記第１の基礎部が第１の基礎厚さを有し、前記第１の増厚部が第１の増厚厚さを有し、前記第１の増厚部の前記第１の増厚厚さは前記第１の基礎部の前記第１の基礎厚さよりも大きく、
一方の前記第２の延伸部の少なくとも一つの前記第２の増厚部は他方の前記第２の延伸部の少なくとも一つの前記第２の増厚部と対向し、
前記第２の基礎部が第２の基礎厚さを有し、前記第２の増厚部が第２の増厚厚さを有し、前記第２の増厚部の前記第２の増厚厚さは前記第２の基礎部の前記第２の基礎厚さよりも大きいことを特徴とする、上記〔６〕に記載の金型コアモジュール。
〔８〕  各前記第１の延伸部は、第１の基礎部と、二つの前記第１の基礎部から内側に突出する第１の増厚部とを有し、
各前記第２の延伸部は、第２の基礎部と、二つの前記第２の基礎部から内側に突出する第２の増厚部とを有し、
一方の前記第１の延伸部の二つの前記第１の増厚部は他方の前記第１の延伸部の二つの前記第１の増厚部とそれぞれ対向し、
前記第１の基礎部が第１の基礎厚さを有し、前記第１の増厚部が第１の増厚厚さを有し、前記第１の増厚部の前記第１の増厚厚さは前記第１の基礎部の前記第１の基礎厚さよりも大きく、
一方の前記第２の延伸部の二つの前記第２の増厚部は他方の前記第２の延伸部の二つの前記第２の増厚部とそれぞれ対向し、
前記第２の基礎部が第２の基礎厚さを有し、前記第２の増厚部が第２の増厚厚さを有し、前記第２の増厚部の前記第２の増厚厚さは前記第２の基礎部の前記第２の基礎厚さよりも大きいことを特徴とする、上記〔６〕に記載の金型コアモジュール。
〔９〕  先端及び後端を有するベース部と、
前記ベース部の二つの反対側端から上方にそれぞれ延びている二つの側止め部であって、相互に対応すると共に前記ベース部の前記先端にそれぞれ接続される二つの側止め部と、
前記ベース部の前記後端に接続されるように前記ベース部に設けられ、一部の外形が〔６に記載の金型コアモジュールの前記第１の中間構造体及び前記第２の中間構造体の両者により相互に係合して形成された台座部と、を備え、
前記台座部は、前記ベース部の前記後端に接続されるように前記ベース部に設けられるメイン本体と、前記メイン本体の二つの反対側端にそれぞれ設けられる二つのテープ状のリブと、二つの前記テープ状のリブにそれぞれ接続される二つの凹陥空間とを備えることを特徴とする、摺動子。
〔１０〕  前記ベース部の内面に微凸領域が突出されており、
前記微凸領域は、前記台座部の前記メイン本体に接続されると共に、前記台座部の前記メイン本体を部分的に取り囲み、
前記台座部の二つの前記凹陥空間及び前記ベース部の前記微凸領域はいずれもＵ字型であることを特徴とする、上記〔９〕に記載の摺動子。
【図面の簡単な説明】
【０００５】
【図１】図１は本考案に係る金型コアモジュールの第１の金型コア構造の一つの概略斜視図である。
【図２】図２は本考案に係る金型コアモジュールの第１の金型コア構造の別の概略斜視図である。
【図３】図３は本考案に係る金型コアモジュールの第２の金型コア構造の一つの概略斜視図である。
【図４】図４は本考案に係る金型コアモジュールの第２の金型コア構造の別の概略斜視図である。
【図５】図５は本考案に係る金型コアモジュールの第１の金型コア構造と第２の金型コア構造の概略組合せ斜視図である。
【図６】図６は図５のＶＩ−ＶＩ断面線に沿う概略断面図である。
【図７】図７は図５のＶＩＩ−ＶＩＩ断面線に沿う概略断面図である。
【図８】図８は本考案に係る金型コアモジュールの第１の金型コア構造と第２の金型コア構造の概略分解斜視図である。
【図９】図９は本考案に係る摺動子の一つの概略側面図である。
【図１０】図１０は本考案に係る摺動子の別の概略側面図である。
【図１１】図１１は本考案に係る摺動子の概略背面図である。
【図１２】図１２は本考案に係るスライダー組合せ構造の概略組合せ斜視図である。
【図１３】図１３は本考案に係るメイン本体及びテープ状のリブの外形が二つの第１の延伸部と二つの第２の延伸部により相互に係合して形成される模式図である。
【図１４】図１４は本考案に係る一実施例のメイン本体及びテープ状のリブの外形が第１の延伸部及び第２の延伸部により相互に係合して形成される模式図である。
【図１５】図１５は本考案に係る別の実施例のメイン本体及びテープ状のリブの外形が第１の延伸部及び第２の延伸部により相互に係合して形成される模式図である。
【図１６】図１６は本考案のさらに別の実施例のメイン本体及びテープ状のリブの外形が第１の延伸部及び第２の延伸部により相互に係合して形成される模式図である。
【０００６】
（考案を実施するための形態）
図１乃至図１１を参照する。本考案はスライダー組合せ構造Ｚの摺動子３の一部の外形を成形するための金型コアモジュールＭを提供する。摺動子３は、ベース部３０と、ベース部３０の二つの反対側端から上方にそれぞれ延びており、相互に対応すると共にベース部３０の先端３０１にそれぞれ接続される二つの側止め部３１と、ベース部３０の後端３０２に接続されるようにベース部３０に設けられる台座部３２とを有する。また、台座部３２は、ベース部３０の後端３０２に接続されるようにベース部３０に設けられるメイン本体３２１と、メイン本体３２１の二つの反対側端にそれぞれ設けられる二つのテープ状のリブ３２２と、二つのテープ状のリブ３２２にそれぞれ接続されると共に、二つのテープ状のリブ３２２をそれぞれ部分的に取り囲む二つの凹陥空間３２３とを備える。
【０００７】
図１乃至図８に示すように、金型コアモジュールＭは、第１の金型コア構造１と、第２の金型コア構造２とを備える。
【０００８】
まず、図１及び図２に示すように、第１の金型コア構造１は、第１の基体１０と、第１の基体１０から延在してくると共に互いに対応する二つの第１の側部構造体１１と、第１の基体１０から延在してくると共に二つの第１の側部構造体１１の間に位置する第１の中間構造体１２とを有する。また、第１の中間構造体１２は互いに対応して設けられる二つの第１の延伸部１２０を有する。各第１の延伸部１２０は、第１の基礎部１２０Ａと、第１の基礎部１２０Ａから内側に突出する二つの第１の増厚部１２０Ｂとを有する。従って、本考案は、第１の増厚部１２０Ｂの設計により、第１の延伸部１２０の全体構造の強度を向上し、さらに金型コアモジュールＭの使用寿命を延長することができ、摺動子３の製造歩留まりを効率的に向上でき、摺動子３の作製コストも削減できる。
【０００９】
以上のように、一方の第１の延伸部１２０の二つの第１の増厚部１２０Ｂは、他方の第１の延伸部１２０の二つの第１の増厚部１２０Ｂとそれぞれ対向する。また、第１の基礎部１２０Ａは、第１の基礎厚さＴ１１を有する。第１の増厚部１２０Ｂは、第１の増厚厚さＴ１２を有する。第１の増厚部１２０Ｂの第１の増厚厚さＴ１２は第１の基礎部１２０Ａの第１の基礎厚さＴ１１よりも大きい。即ち、各第１の延伸部１２０は異なる厚さを有する。また、第１の中間構造体１２は、二つの第１の延伸部１２０の間に形成される第１のメイン収容空間Ｒ１０を有する。各第１の延伸部１２０は、二つの対応する第１の増厚部１２０Ｂの間に形成される第１のサブ収容空間Ｒ１１を有する。第１のメイン収容空間Ｒ１０は、二つの第１の延伸部１２０の二つの第１のサブ収容空間Ｒ１１の間に連通される。
【００１０】
なお、図３及び図４に示すように、第２の金型コア構造２は、第２の基体２０と、第２の基体２０から延在してくると共に互いに対応する二つの第２の側部構造体２１と、第２の基体２０から延在してくると共に二つの第２の側部構造体２１の間に位置する第２の中間構造体２２とを有する。また、第２の中間構造体２２は、二つの互いに対応して設けられる第２の延伸部２２０を有する。各第２の延伸部２２０は、第２の基礎部２２０Ａと、第２の基礎部２２０Ａから内側に突出する二つの第２の増厚部２２０Ｂとを有する。従って、本考案は、第２の増厚部２２０Ｂの設計により、第２の延伸部２２０の全体構造の強度を向上し、さらに金型コアモジュールＭの使用寿命を延長することができ、摺動子３の製造歩留まりを効率的に向上でき、摺動子３の作製コストも削減できる。
【００１１】
以上のように、一方の第２の延伸部２２０の二つの第２の増厚部２２０Ｂは、他方の第２の延伸部２２０の二つの第２の増厚部２２０Ｂとそれぞれ対向する。また、第２の基礎部２２０Ａは、第２の基礎厚さＴ２１を有する。第２の増厚部２２０Ｂは、第２の増厚厚さＴ２２を有する。第２の増厚部２２０Ｂの第２の増厚厚さＴ２２は第２の基礎部２２０Ａの第２の基礎厚さＴ２１よりも大きい。即ち、各第２の延伸部２２０は異なる厚さを有する。また、第２の中間構造体２２は、二つの第２の延伸部２２０の間に形成される第２のメイン収容空間Ｒ２０を有する。各第２の延伸部２２０は、二つの対応する第２の増厚部２２０Ｂの間に形成される第２のサブ収容空間Ｒ２１を有する。第２のメイン収容空間Ｒ２０は、第１のメイン収容空間Ｒ１０に連通されると共に、二つの第２の延伸部２２０の二つの第２のサブ収容空間Ｒ２１の間に連通される。二つの第２の延伸部２２０の二つの第２のサブ収容空間Ｒ２１は、二つの第１の延伸部１２０の二つの第１のサブ収容空間Ｒ１１にそれぞれ連通される。
【００１２】
なお、図１、図３及び図５乃至図８に示すように、第１の中間構造体１２の二つの第１の延伸部１２０が、第２の中間構造体２２の二つの第２の延伸部２２０にそれぞれ接続される。台座部３２の一部の外形が第１の金型コア構造１の第１の中間構造体１２の二つの第１の延伸部１２０及び第２の金型コア構造２の第２の中間構造体２２の二つの第２の延伸部２２０により相互に係合して形成される。
【００１３】
さらには、台座部３２のメイン本体３２１の外形が第１のメイン収容空間Ｒ１０及び第２のメイン収容空間Ｒ２０により相互に係合して形成されるので、台座部３２のメイン本体３２１は第１のメイン収容空間Ｒ１０及び第２のメイン収容空間Ｒ２０に対応する。
【００１４】
さらには、各テープ状のリブ３２２の外形が、対応する第１の延伸部１２０の第１のサブ収容空間Ｒ１１及び対応する第２の延伸部２２０の第２のサブ収容空間Ｒ２１により相互に係合して形成されるので、各テープ状のリブ３２２は、対応する第１の延伸部１２０の第１のサブ収容空間Ｒ１１及び対応する第２の延伸部２２０の第２のサブ収容空間Ｒ２１に対応する。
【００１５】
さらには、各凹陥空間３２３の形状が、対応する第１の延伸部１２０の二つの第１の増厚部１２０Ｂ及び対応する第２の延伸部２２０の二つの第２の増厚部２２０Ｂにより相互に係合して形成されるので、各凹陥空間３２３は、対応する第１の延伸部１２０の二つの第１の増厚部１２０Ｂ及び対応する第２の延伸部２２０の二つの第２の増厚部２２０Ｂに対応する。
【００１６】
それにより、図９乃至図１２に示すように、本考案は、摺動子３と、フック部材４と、引張部材５とを備えるスライダー組合せ構造Ｚを提供する。
【００１７】
まず、図９乃至図１１に示すように、摺動子３は、ベース部３０と、二つの側止め部３１と、台座部３２とを有する。また、二つの側止め部３１は、ベース部３０の二つの反対側端から上方にそれぞれ延びており、相互に対応すると共にベース部３０の先端３０１にそれぞれ接続される。なお、台座部３２は、ベース部３０の後端３０２に接続されるようにベース部３０に設けられると共に、二つの側止め部３１の間に位置する貫通式位置決め開口３２０（図８に示すように）を有する。また、台座部３２は、ベース部３０の後端３０２に接続されるようにベース部３０に設けられるメイン本体３２１と、メイン本体３２１の二つの反対側端にそれぞれ設けられる二つのテープ状のリブ３２２と、二つのテープ状のリブ３２２にそれぞれ接続される二つの凹陥空間３２３とを備える。なお、メイン本体３２１の二つの反対側端には二つの凹陥空間３２３が形成されるので、摺動子３の作製コストを削減できる。
【００１８】
なお、図８及び図１２に示すように、フック部材４が移動可能に台座部３２に設けられる。フック部材４の末端には、貫通式位置決め開口３２０を移動可能に挿通する位置決め部４０を有する。また、引張部材５が移動可能にフック部材４と相互に係合される。
【００１９】
さらには、図９乃至図１１に示すように、摺動子３のベース部３０の内面３００に微凸領域３０３が突出される。微凸領域３０３は、台座部３２のメイン本体３２１に接続されると共に、台座部３２のメイン本体３２１を部分的に取り囲む。台座部３２の二つの凹陥空間３２３及びベース部３０の微凸領域３０３はいずれもＵ字型である。また、台座部３２は、メイン本体３２１に設けられると共にベース部３０と互いに分離される受け座３２４と、微凸領域３０３と受け座３２４との間に形成される二つの窪み空間Ｒ３０とを備える。二つの窪み空間Ｒ３０が二つの凹陥空間３２３にそれぞれ連通される。二つのテープ状のリブ３２２が二つの窪み空間Ｒ３０にそれぞれ完全に収容される。
【００２０】
以上のように、図１３を参照する。台座部３２のメイン本体３２１の外形及び各テープ状のリブ３２２の外形は、第１の金型コア構造１の第１の中間構造体１２の二つの第１の延伸部１２０及び第２の金型コア構造２の第２の中間構造体２２の二つの第２の延伸部２２０により相互に係合して形成される。第１の金型コア構造１では、各第１の延伸部１２０は、第１の基礎部１２０Ａと、二つの第１の増厚部１２０Ｂとを有する。第１の増厚部１２０Ｂの第１の増厚厚さＴ１２は第１の基礎部１２０Ａの第１の基礎厚さＴ１１よりも大きい。第２の金型コア構造２では、各第２の延伸部２２０は、第２の基礎部２２０Ａと、二つの第２の増厚部２２０Ｂとを有する。第２の増厚部２２０Ｂの第２の増厚厚さＴ２２は第２の基礎部２２０Ａの第２の基礎厚さＴ２１よりも大きい。従って、本考案は、第１の増厚部１２０Ｂ及び第２の増厚部２２０Ｂの設計により、それぞれ第１の延伸部１２０及び第２の延伸部２２０の全体構造の強度を向上し、さらに金型コアモジュールＭの使用寿命を延長することができ、摺動子３の製造歩留まりを効率的に向上でき、摺動子３の作製コストも削減できる。
【００２１】
さらには、図１４乃至図１６を参照する。図１４乃至図１６と図１３との最大の相違点は、下記の二点にある。第１の相違点として、図１４乃至図１６において、各第１の延伸部１２０は、第１の基礎部１２０Ａと、第１の基礎部１２０Ａから内側に突出する少なくとも一つの第１の増厚部１２０Ｂとを有することにある。第２の相違点として、各第２の延伸部２２０は、第２の基礎部２２０Ａと、第２の基礎部２２０Ａから内側に突出する少なくとも一つの第２の増厚部２２０Ｂを有することにある。また、一方の第１の延伸部１２０の少なくとも一つの第１の増厚部１２０Ｂは、他方の第１の延伸部１２０の少なくとも一つの第１の増厚部１２０Ｂと対向する。一方の第２の延伸部２２０の少なくとも一つの第２の増厚部２２０Ｂは、他方の第２の延伸部２２０の少なくとも一つの第２の増厚部２２０Ｂと対向する。即ち、各第１の延伸部１２０は、第１の基礎部１２０Ａの最外側（図１４及び図１５に示すように）又は中間部（図１６に示すように）から内側に突出する第１の増厚部１２０Ｂを一つのみ設計してもよく、各第２の延伸部２２０は、第２の基礎部２２０Ａの最外側（図１４及び図１５に示すように）又は中間部（図１６に示すように）から内側に突出する第２の増厚部２２０Ｂを一つのみ設計してもよい。
［実施例の効果］
【００２２】
以上のように本考案に係る金型コアモジュール及び摺動子は、「第１の延伸部１２０は異なる厚さを有し、第２の延伸部２２０は異なる厚さを有する」という設計、及び「台座部３２は、ベース部３０の後端３０２に接続されるようにベース部３０に設けられるメイン本体３２１と、メイン本体３２１の二つの反対側端にそれぞれ設けられる二つのテープ状のリブ３２２と、二つのテープ状のリブ３２２にそれぞれ接続される二つの凹陥空間３２３とを備える」という設計により、金型コアモジュールＭの使用寿命を延長し、摺動子３の製造歩留まりを効率的に向上でき、摺動子３の作製コストも削減できる。即ち、本考案は、第１の延伸部１２０の第１の増厚部１２０Ｂ及び第２の延伸部２２０の第２の増厚部２２０Ｂの設計により、それぞれ第１の延伸部１２０及び第２の延伸部２２０の全体構造の強度を向上し、さらに金型コアモジュールＭの使用寿命を延長することができ、摺動子３の製造歩留まりを効率的に向上でき、摺動子３の作製コストも削減できる。
【００２３】
以上に開示された内容は、本考案の好ましい実施可能な実施例に過ぎず、本考案の実用新案登録請求の範囲を制限するものではない。本考案の明細書及び添付図面の内容に基づき為された等価な技術変更は、すべて本考案の実用新案登録請求の範囲に含まれるものである。
【符号の説明】
【００２４】
Ｍ    金型コアモジュール
１    第１の金型コア構造
１０    第１の基体
１１    第１の側部構造体
１２    第１の中間構造体
１２０    第１の延伸部
１２０Ａ    第１の基礎部
１２０Ｂ    第１の増厚部
Ｔ１１    第１の基礎厚さ
Ｔ１２    第１の増厚厚さ
Ｒ１０    第１のメイン収容空間
Ｒ１１    第１のサブ収容空間
２    第２の金型コア構造
２０    第２の基体
２１    第２の側部構造体
２２    第２の中間構造体
２２０    第２の延伸部
２２０Ａ    第２の基礎部
２２０Ｂ    第２の増厚部
Ｔ２１    第２の基礎厚さ
Ｔ２２    第２の増厚厚さ
Ｒ２０    第２のメイン収容空間
Ｒ２１    第２のサブ収容空間
Ｚ    スライダー組合せ構造
３    摺動子
３０    ベース部
３００    内面
３０１    先端
３０２    後端
３０３    微凸領域
３１    側止め部
３２    台座部
３２０    貫通式位置決め開口
３２１    メイン本体
３２２    テープ状のリブ
３２３    凹陥空間
３２４    受け座
Ｒ３０    窪み空間
４    フック部材
４０    位置決め部
５    引張部材
【図１】
0003209780.tif 000003
【図２】
0003209780.tif 000004
【図３】
0003209780.tif 000005
【図４】
0003209780.tif 000006
【図５】
0003209780.tif 000007
【図６】
0003209780.tif 000008
【図７】
0003209780.tif 000009
【図８】
0003209780.tif 000010
【図９】
0003209780.tif 000011
【図１０】
0003209780.tif 000012
【図１１】
0003209780.tif 000013
【図１２】
0003209780.tif 000014
【図１３】
0003209780.tif 000015
【図１４】
0003209780.tif 000016
【図１５】
0003209780.tif 000017
【図１６】
0003209780.tif 000018